(57)【特許請求の範囲】
【請求項１】
販売対象の商品毎に設けられて、非接触ＩＣカードの近接を検出する販売機側の複数の送受信アンテナと、
該送受信アンテナを通して前記非接触ＩＣカードとの通信処理を非接触ＩＣカード用リーダライタを介して実行して特定の前記商品を販売し、かつ前記非接触ＩＣカード内データの更新処理を実行する中央演算処理装置とを備え、
前記各送受信アンテナ毎に、前記非接触ＩＣカードを接触させることにより購入しようとする商品を特定するタッチセンサを設けたことを特徴とする自動販売機。
【請求項２】
前記各送受信アンテナを、販売対象の各商品毎の表示窓を周回するように配置したことを特徴とする請求項１に記載の自動販売機。
【発明の詳細な説明】
【０００１】
【発明の属する技術分野】
この発明は、タバコや飲料水などの各種商品や乗車券，入場券などを非接触ＩＣカードの使用によって自動販売する自動販売機に関する。
【０００２】
【従来の技術】
従来の自動販売機として、例えば図９に示すような自動販売機がある。同図において、１はケース、２は複数の商品のサンプル３を展示するサンプル展示窓、４はプリペイドカードなどの磁気カードの挿入口、５は硬貨投入口、６は投入金額表示部、７は返却レバー、８は各サンプル３対応の販売対象の商品（口座）を選択する複数の商品選択ボタンで、ここには、ボタンランプ（販売表示ランプ）が内蔵されている。９は硬貨返却口、１０は商品放出口である。
【０００３】
また、図１０は前記自動販売機内部の回路構成を示すブロック図であり、同図において、１１は硬貨の投入やつり銭などの払出し処理を実行する硬貨処理部、１２は前記挿入口に挿入された磁気カードに対し書き込みおよび読み出しを行う磁気カード用リーダライタ、１３は商品の放出を制御する商品放出制御部、１４は購入可能判断等を実行する接客制御部、１５は操作制御部、１６は案内表示部、１７は接客制御部１４に接続されて、前記商品選択ボタン８のいずれが押されたのかを順次切換えながら検出して商品を特定する切換回路、１８は商品選択ボタンに内蔵された前記ボタンランプである。また、１９は各種の演算処理を実行する中央演算処理装置（以下、ＣＰＵという）、２０は演算処理の実行プログラム等を格納する読み出し専用のメモリ（ＲＯＭ）、２１は演算データ等を読み書きするメモリ（ＲＡＭ）である。
【０００４】
かかる従来の自動販売機では、商品購入者が硬貨や磁気カードを硬貨投入口５や磁気カード挿入口４にそれぞれ投入または挿入すると、ＣＰＵ１９はその投入金額やプリペイド残金などを演算し、接客制御部１４を通して、その投入金額等で購入できる商品の金額を記入してある商品選択ボタン８のボタンランプ１８を点灯させる。
【０００５】
次に、購入者はボタンランプ１８が点灯している商品選択ボタン８の１つを押して商品の特定を行うと、ＣＰＵ１９は指定された商品の価格と投入金額の過不足を演算し、硬貨処理部１１を駆動して超過分を釣銭として硬貨返却口９へ返却する。これと同時に、ＣＰＵ１９は商品放出制御部１３を動作させて、商品を商品放出口部１０に放出させる。
【０００６】
一方、前記自動販売機に対して、図１０に示すようなＮＣＣ用リーダライタ２２を付設して、非接触ＩＣカード（以下、ＮＣＣという）を所定の非接触用カード受部内に差し入れることにより、前記磁気カードの場合と同様の商品の購入を行えるようにしたものが提案されている。
【０００７】
【発明が解決しようとする課題】
しかしながら、かかる従来の自動販売機では、商品の選択のために商品選択ボタンを押下する必要があり、これが機構部品の故障の第１要因となっているほか、硬貨投入口５、返却レバー７、硬貨返却口９などの設置空間を要し、販売機本体の大形化，高価格化が避けられないという課題があった。
【０００８】
また、ＮＣＣ用リーダライタ２２を付設した自動販売機にあっても、これまでと同じく商品（口座）の選択と金銭の投入とに分けた方式では、そのＮＣＣ用リーダライタ２２を取り込み方式にしない限り、商品の選択後の金銭収受の途中にＮＣＣを取り出す処理が完結しないで、品物は出たが、金銭が引き去られていない場合が起こる可能性があり、これが不正の原因となる。また、操作中にＮＣＣを他人に取られてしまったり、近くにいる他人のＮＣＣが反応して誤動作するなどの防犯上の問題発生の可能性があった。
【０００９】
また、ＮＣＣ用リーダライタ２２を従来と同様に機械に取り込む方式にすれば、前記の問題は生じないが、ＮＣＣの特徴である非接触性の利便性、具体的には、財布から取り出さずにそのままデータの読み書き処理が実現可能であるという利便性がなくなってしまう。さらに、前記取り込み機構が複雑化することにより機構部の故障の原因となり、ＮＣＣの取り込み口での、ガムを用いたいたずらによる不正の原因にもなるという課題があった。また、さらに、高速処理性で劣り、機構の複雑化に伴って信頼性の低下や高価格化が避けられないという課題があった。
【００１０】
この発明は前記課題を解決するものであり、商品選択ボタンの操作や金銭，カードの投入作業をなくして、商品選択作業の簡略化が図れるとともに、商品選択ボタンや硬貨投入口などの占有空間を皆無にでき、しかも不正の発生なく、商品選択などの口座選択，個数選択，金銭の収授処理を迅速かつ高信頼度にて実現できる自動販売機を得ることを目的とする。
【００１１】
【課題を解決するための手段】
前記目的達成のために、請求項１の発明にかかる自動販売機は、販売対象の商品毎に設けられて、非接触ＩＣカードの近接を検出する販売機側の複数の送受信アンテナと、該送受信アンテナを通して前記非接触ＩＣカードとの通信処理を非接触ＩＣカード用リーダライタを介して実行して特定の前記商品を販売し、かつ前記非接触ＩＣカード内データの更新処理を実行する中央演算処理装置とを備え、前記各送受信アンテナ毎に、前記非接触ＩＣカードを接触させることにより購入しようとする商品を特定するタッチセンサを設けたものである。
【００１３】
また、請求項２の発明にかかる自動販売機は、前記各送受信アンテナを、販売対象の各商品毎の表示窓を周回するように配置したものである。
【００１４】
【発明の実施の形態】
以下、この発明の実施の一形態を図について説明する。図１はこの発明の自動販売機を示すブロック図であり、同図において、２２Ａは非接触ＩＣカード用リーダライタ（以下、リーダライタという）、３１は販売対象である商品毎に設けられて、ＮＣＣ４０の近接を検出する複数のＮＣＣ送受信アンテナ、３２はこれらの送受信アンテナ３１毎に設けられたランプ、３３は必要に応じ各ＮＣＣ送受信アンテナ３１毎に設けられるタッチセンサ、１７Ａは前記ＮＣＣ送受信アンテナ３１，ランプ３２およびタッチセンサ３３をそれぞれ切換選択する切換回路であり、ＮＣＣ送受信アンテナ３１を順次切換えてトリガー信号をこれらに順次出力する。
【００１５】
また、図２は図１におけるリーダライタ２２Ａ，切換回路１７Ａ，ＮＣＣ送受信アンテナ３１およびＮＣＣ４０の詳細を示すブロック図であり、同図において、４１はＮＣＣ４０との交信処理およびデータのリード／ライトを実行するマイクロプロセッサ（ＣＰＵ）、４２はこの実行プログラム等を格納するメモリ（ＲＯＭ）、４３は各処理データを一時格納するメモリ（ＲＡＭ）、４４は処理結果をＣＰＵ１９へ出力する通信インタフェース（Ｉ／Ｆ）回路、４６，４７は通信インタフェース回路４５を介してマイクロプロセッサ４１に接続された変調回路および復調回路、４８は変調出力を切換回路１７Ａへ出力するドライバ、４９は切換回路１７を介して前記複数のＮＣＣ送受信アンテナ３１から入力される信号を検波して復調回路４７へ入力するフィルタ、５０は変調信号を作るための搬送波信号を出力する発振回路（ＯＳＣ）である。
【００１６】
さらに、ＮＣＣ４０において、５１は自動販売機のリーダライタ２２Ａと交信するためのＮＣＣ送受信アンテナ、５２は受信信号を復調する復調回路、５３は送信信号を変調して出力する変調回路、５４は復調出力の解読と、応答信号の送信を行う制御回路、５５は通用期間などの固定データ、価値（残金など）データを格納するメモリ、５６は電力供給器、５７はクロック発生器である。
【００１７】
図３，図４および図５は前記ＮＣＣ送受信アンテナ３１付近の構造を示す斜視図、平断面図および要部の概念図であり、同図において、６１は小ケース、３１はこの小ケース６１内において大きく周回させたループ状の前記ＮＣＣ送受信アンテナ、６３は小ケース６内の中央部に配置された発光ダイオードなどの商品放出処理中表示のためのランプ、６４は小ケース６１の開口部を被う板状のタッチセンサ、６５はこのタッチセンサ６４の中央部に穿設されたランプ表示窓であり、これらの組立体であるデータ入力部Ａが、図６に示す自動販売機における商品サンプル表示部の前部に、各商品毎に１個ずつ配置されている。
【００１８】
そして、この自動販売機の正面には、前記データ入力部Ａのほか前記商品サンプル表示部のサンプル展示窓７１，金額表示部（ＮＣＣ金額，商品金額）７２，扉開閉キー部７３および商品放出口１０が設けられるのみであり、従来の硬貨投入口５，磁気カード挿入口４，返却レバー７，硬貨返却口９が全て不要になり、すっきりしたデザインをなす。
【００１９】
なお、前記タッチセンサ６４としては遮光を検出して動作する光学式，押圧することにより抵抗値を変化させる抵抗式などが採用され、特に商品サンプルを外から観察できるように透明板にて構成する。
【００２０】
また、図１ではＮＣＣ４０を持っていない人でも、従来と同様に利用できるようにするため、完全にＮＣＣ４０利用に移行する過程では、必要に応じ硬化処理部１１をオプション対応として設けることもできる。
【００２１】
かかる構成になる自動販売機では、例えばＮＣＣ４０をプリペイドカードとして扱う場合には、商品を購入するときに、販売対象の商品ごとに設けられたデータ入力部ＡのＮＣＣ送受信アンテナ３１に対し、ＮＣＣ４０をかざすことにより、このＮＣＣ送受信アンテナ３１およびＮＣＣ４０側のＮＣＣ送受信アンテナ５１を介して、ＮＣＣ４０とリーダライタ２２Ａとの間で無線通信が可能となる。この通信では、ＮＣＣ４０がかざされたＮＣＣ送受信アンテナ３１に対応する商品の選択が行われるとともに、リーダライタ２２Ａを介してＮＣＣ４０から入力されたプリペイド残金が商品金額以上か否かをＣＰＵ１９にて調べ、商品金額以上ある場合には、カード有効と判断して、接客制御部１４により切換回路１７Ａを介して特定のデータ入力部Ａのランプ３２を点灯させる。また、同時に、商品放出制御部１３を制御して前記選択された商品の放出を商品放出口へ行わせる。
【００２２】
さらに、この商品放出を行うと同時に、リーダライタ２２Ａに前記各ＮＣＣ送受信アンテナ３１，５１を通じて、ＮＣＣ４０内のメモリ５５に格納したプリペイド残金から商品の金額の減算を瞬時（０．５秒以内）に行い、その減算値をプリペイド残金として更新してメモリ５５に再書き込みする。このように演算処理による金額表示は図６の金額表示部７２に、商品の放出が完了するまで行われる。そして、この商品の放出が完了した場合には、前記ＮＣＣ送受信アンテナ３１側のランプ６３も消灯することとなる。
【００２３】
前記リーダライタ２２ＡとＮＣＣ４０との間の通信シーケンスは、図５に示す通りであり、リーダライタ２２Ａからの呼掛け信号（トリガー信号）ＳO を一定の短い周期で繰り返しＮＣＣ送受信アンテナ３１を介して出力しており、これをＮＣＣ４０がＮＣＣ送受信アンテナ５１を介して受信し、復調回路５２にて解読し、応答信号Ｑを前記送受信アンテナ５１，３１を介してリーダライタ２２Ａに送信した後、メモリ５５内のデータのうち所要のデータを読み出し、このデータを変調回路５３にて変調して、各ＮＣＣ送受信アンテナ５１，３１を介してリーダライタ２２Ａへ送信する。
【００２４】
従って、リーダライタ２２Ａではこの変調信号のうちフィルタ４９を通した成分の変調信号の復調を復調回路４７にて行い、この復調信号が通信インタフェース回路４５，４４を介してＣＰＵ１９へ送出される。また、ＣＰＵ１９は応答信号を受信すると案内表示部１６に「処理中」の表示を行わせるとともに、前記のようなプリペイド残金と商品金額との減算およびＮＣＣにおけるプリペイド残金の更新などを行い、必要な表示を案内表示部１６に行わせることとなる。
【００２５】
また、この発明では、必要に応じタッチパネルとしてのタッチセンサ６４が設けられ、これによりリーダライタ２２ＡのＮＣＣ送受信アンテナ３１の相互間の通信エリアで電波干渉による誤動作を防止できる。つまり、前記ＮＣＣ送受信アンテナ３１，５１間による通信の他に、人の意志にもとづくタッチセンサの入力操作を条件とすることで、商品選択や計算処理およびＮＣＣ４０の書き替えなどの処理を誤りや不正なく確実に実行できることとなる。このタッチセンサ６４の併用により、単にＮＣＣ４０をＮＣＣ送受信アンテナ３１にかざすのみの場合に比べて信頼性が大幅に向上することとなる。
【００２６】
なお、前記ＮＣＣ４０側のＮＣＣ送受信アンテナ５１を自動販売機の扉開閉キーの代わりに用いる場合には、ＮＣＣ４０内にプリペイド金額以外にサービス用のデータを別途持たせ、係員コードとして動作可能とすることにより、係員用のＮＣＣ４０のみでしか扉開閉を行えないようにすることもできる。
【００２７】
図８は前記データ入力部の実施の他の形態を示す。ここでは、商品サンプル７１の各設定部位の展示窓（表示窓）７２を周囲するようにＮＣＣ送受信アンテナ３１を配置している。こうすることで、これらのＮＣＣ送受信アンテナ３１と商品の内容表示とに一体感を持たせることができ、ＮＣＣ４０とＮＣＣ送受信アンテナ５１との通信エリアを拡大して、信号授受を誤りなく実施することが可能になる。
【００２８】
【発明の効果】
以上のように、この発明によれば、販売対象の商品毎に非接触ＩＣカードの近接を検出する販売機側の複数の送受信アンテナを設け、中央演算処理装置に、該送受信アンテナを介して前記非接触ＩＣカードとの通信処理を非接触ＩＣカード用リーダライタを介して実行させて特定の前記商品を販売可能にし、かつ前記非接触ＩＣカード内データの更新処理を実行させるように構成したので、商品選択ボタンの操作や金銭，カードの投入作業をなくして、商品選択作業の簡略化が図れるとともに、商品選択ボタンや硬貨投入口などの占有空間を皆無にでき、しかも不正の発生なく、商品選択などの口座選択，個数選択，金銭の収授処理を迅速かつ高信頼度にて実現できるという効果が得られる。
【００２９】
また、この発明によれば、前記各送受信アンテナ毎に、前記非接触ＩＣカードを接触させることにより購入しようとする商品を特定するタッチセンサを設けるように構成したので、リーダライタの送受信アンテナ相互間の通信エリアで電波が干渉し合うことによる誤反応によって、商品選択や金銭管理，データ処理を誤るのを確実に回避できるという効果が得られる。さらに、前記各送受信アンテナを、販売対象の各商品毎の表示窓を周回するように配置したので、自動販売機側において非接触ＩＣカードとの通信エリアを広くすることができ、利便性が一段と向上するという効果が得られる。また、この発明では非接触ＩＣカードを財布に収納した状態で商品の購入が可能となり、瞬時処理により後続購入者とのトラブルも回避できるほか、ガムの粘着によるいたずらや盗難事故をなくすることができる。
【図面の簡単な説明】
【図１】この発明の実施の一形態による自動販売機を示すブロック図である。
【図２】図１における非接触ＩＣカード（ＮＣＣ）およびＮＣＣ用リーダライタの詳細を示すブロック図である。
【図３】図１におけるデータ入力部を示す斜視図である。
【図４】図１におけるデータ入力部を示す断面図である。
【図５】図４における送受信アンテナとランプとの配置を示す概念図である。
【図６】この発明の自動販売機の外観を示す斜視図である。
【図７】この発明による交信状況を示す交信チャート図である。
【図８】図１におけるデータ入力部の実施の他の形態を示す分解斜視図である。
【図９】従来の自動販売機を示す斜視図である。
【図１０】従来の自動販売機を示すブロック図である。
【符号の説明】
１９…中央演算処理装置（ＣＰＵ）、
２２Ａ…ＮＣＣ用リーダライタ（非接触ＩＣカード用リーダライタ）、
３１…ＮＣＣ送受信アンテナ、
４０…ＮＣＣ（非接触ＩＣカード）、
６４…タッチセンサ
【図１】
0003921720.tif 000002
【図２】
0003921720.tif 000003
【図３】
0003921720.tif 000004
【図４】
0003921720.tif 000005
【図５】
0003921720.tif 000006
【図６】
0003921720.tif 000007
【図７】
0003921720.tif 000008
【図８】
0003921720.tif 000009
【図９】
0003921720.tif 000010
【図１０】
0003921720.tif 000011